【手続補正書】
【提出日】平成16年5月31日(2004.5.31)
【手続補正１】
【補正対象書類名】明細書
【補正対象項目名】特許請求の範囲
【補正方法】変更
【補正の内容】
【特許請求の範囲】
【請求項１】
インターネットＦＡＸ通信手段とＧ３ファクシミリ通信手段を持つ画像通信装置において、
通信機から送られたＧ３ファクシミリ通信手順に基づいて、相手機のＦＡＸ機能を検出する検出手段と、
前記検出手段による検出に基づいて、前記インターネットＦＡＸ通信手段により通信する制御手段とを有することを特徴とする画像通信装置。
【請求項２】
請求項１において、
前記制御手段は、前記Ｇ３ファクシミリ通信手段によるＧ３ファクシミリモードの交信を切断し、前記インターネットＦＡＸ通信手段による通信に移行することを特徴とする画像通信装置。
【請求項３】
請求項１において、
前記相手機の機能を記憶する記憶手段を有し、
オペレータにより指定された相手機に関する前記記憶手段の記憶内容に応じて、前記Ｇ３ファクシミリ通信手段による通信を行い、前記検出手段による検出を行うことを特徴とする画像通信装置。
【請求項４】
請求項１において、
前記相手機の機能を記憶する記憶手段を有し、
オペレータにより指定された相手機に関する前記記憶手段の記憶内容に応じて、前記Ｇ３ファクシミリ通信手段による通信を行わずに前記インターネットＦＡＸ通信手段による通信を開始することを特徴とする画像通信装置。
【請求項５】
請求項１において、
前記相手機の機能を記憶する記憶手段を有し、
前記制御手段は、前記検出手段により検出された前記相手機のＦＡＸ機能を前記記憶手段に格納させ、前記記憶手段に記憶された前記相手機のＦＡＸ機能に従って、前記インターネットＦＡＸ通信手段に画像データ送信させることを特徴とする画像通信装置。
【請求項６】
請求項１において、
前記Ｇ３ファクシミリ通信手段は、インターネットＦＡＸモードへの切換えを指示する信号を送信することを特徴とする画像通信装置。
【請求項７】
請求項１において、
前記Ｇ３ファクシミリ通信手段は、自機のインターネットアドレスを知らせる信号を送信することを特徴とする画像通信装置。
【請求項８】
請求項１において、
前記相手機の機能を記憶する記憶手段と、
Ｅメールを送信する送信手段と、
読み取った画像を画像ファイルに変換する変換手段と、
Ｅメールに画像ファイルを添付する添付手段とを有し、
前記制御手段は、前記Ｇ３ファクシミリ通信手段が受信したＤＩＳ信号に基づく情報を相手機のインターネットＦＡＸのアドレスに対応させて前記記憶手段に記憶し、インターネットＦＡＸ通信手段による画像の送信時に、前記変換手段に、前記記憶手段に記憶された情報に従って送信画像を画像ファイルへ変換させることを特徴とする画像通信装置。
【請求項９】
請求項１において、
交信宛先とのインターネットＦＡＸ通信手段による最初の交信であるか否かを判定する判定手段を備え、
前記制御手段は、前記判定手段による判別に基づいて、前記Ｇ３ファクシミリ通信手段による画像通信を行い、次回の通信から前記インターネットＦＡＸ通信手段による通信を実行するよう制御することを特徴とする画像通信装置。
【請求項１０】
インターネットＦＡＸモードとＧ３ファクシミリモードを持つ画像通信方法において、
通信機から送られたＧ３ファクシミリ通信手順に基づいて、相手機のＦＡＸ機能を検出し、
該検出した前記相手機のＦＡＸ機能に従って、前記インターネットＦＡＸモードにより通信することを特徴とする画像通信方法。
【請求項１１】
インターネットＦＡＸモードとＧ３ファクシミリモードを持つ画像通信装置装置において、
前記Ｇ３ファクシミリモードの通信中にインターネットＦＡＸ機能を持つことを相手機へ通知する機能通知手段と、
前記Ｇ３ファクシミリモードの通信中にインターネットＦＡＸアドレスを相手機へ通知するアドレス通知手段とを有することを特徴とする画像通信装置。
【請求項１２】
請求項１１において、
前記機能通知手段によりインターネットＦＡＸ機能を持つことを相手機へ通知した後、その機能通知への応答としてインターネットＦＡＸモードによる通信を指示する信号を相手機から受信したことに応じて、前記アドレス通知手段により前記インターネットＦＡＸアドレスを相手機へ通知することを特徴とする画像通信装置。
【請求項１３】
インターネットＦＡＸモードとＧ３ファクシミリモードを持つ画像通信方法において、
前記Ｇ３ファクシミリモードの通信中にインターネットＦＡＸ機能を持つことを相手機へ通知し、
前記Ｇ３ファクシミリモードの通信中にインターネットＦＡＸアドレスを相手機へ通知することを特徴とする画像通信方法。
【手続補正２】
【補正対象書類名】明細書
【補正対象項目名】０００１
【補正方法】変更
【補正の内容】
【０００１】
【発明の属する技術分野】
本発明は、Ｇ３ファクシミリ通信及びインターネットＦＡＸ通信が可能な画像通信装置及び画像通信方法に関するものである。
【手続補正３】
【補正対象書類名】明細書
【補正対象項目名】００１２
【補正方法】変更
【補正の内容】
【００１２】
【課題を解決するための手段】
本発明の請求項１では、インターネットＦＡＸ通信手段とＧ３ファクシミリ通信手段を持つ画像通信装置において、通信機から送られたＧ３ファクシミリ通信手順に基づいて、相手機のＦＡＸ機能を検出する検出手段と、前記検出手段による検出に基づいて、前記インターネットＦＡＸ通信手段により通信する制御手段を備えた。
【手続補正４】
【補正対象書類名】明細書
【補正対象項目名】００１３
【補正方法】変更
【補正の内容】
【００１３】
また、本発明の請求項１０では、インターネットＦＡＸモードとＧ３ファクシミリモードを持つ画像通信方法において、通信機から送られたＧ３ファクシミリ通信手順に基づいて、相手機のＦＡＸ機能を検出し、該検出した前記相手機のＦＡＸ機能に従って、前記インターネットＦＡＸモードにより通信する。
【手続補正５】
【補正対象書類名】明細書
【補正対象項目名】００１４
【補正方法】変更
【補正の内容】
【００１４】
本発明の請求項１１、１３では、インターネットＦＡＸモードとＧ３ファクシミリモードによる通信が可能な場合に、前記Ｇ３ファクシミリモードの通信中にインターネットＦＡＸ機能を持つことを相手機へ通知し、さらに、前記Ｇ３ファクシミリモードの通信中にインターネットＦＡＸアドレスを相手機へ通知するようにした。
【手続補正６】
【補正対象書類名】明細書
【補正対象項目名】０１２９
【補正方法】変更
【補正の内容】
【０１２９】
上記説明によれば、インターネットＦＡＸモードとＧ３ファクシミリモードを持つ画像通信装置、または、画像通信方法において、Ｇ３ファクシミリモードによる交信中に相手機のＦＡＸ機能を検出し、相手機のＦＡＸ機能を検出したことに基づいて、Ｇ３ファクシミリモードの交信を切断し、インターネットＦＡＸモードによる通信に移行するので、Ｇ３ファクシミリモードの通信において、相手機の機能が判明した後に通信費のかからないインターネットＦＡＸモードへ移行するので、通信コストを下げるとともに、相手機の機能に合わせて最適な画像データを送信することができる。また、本発明の請求項９、２０によれば、インターネットＦＡＸモードとＧ３ファクシミリモードを持つ画像通信装置、または、画像通信方法において、Ｇ３ファクシミリモードによる交信中に相手機のＦＡＸ機能を検出し、検出した相手機のＦＡＸ機能に従って、インターネットＦＡＸモードで画像を送信するので、相手機のインターネットＦＡＸ機能がわからなくても、Ｇ３ファクシミリモードにより相手機の機能を検出することができ、インターネットＦＡＸモードでの相手機の機能に合わせて最適な画像データの送信ができる。
【手続補正７】
【補正対象書類名】明細書
【補正対象項目名】０１３０
【補正方法】変更
【補正の内容】
【０１３０】
さらに、検出された前記相手機のＦＡＸ機能を記憶し、記憶した前記相手機のＦＡＸ機能に従って、インターネットＦＡＸモードで画像データ送信するので、相手機の機能が記憶されている場合は、Ｇ３ファクシミリモードで通信を行わずに始めからインターネットＦＡＸモードで相手機の機能に合わせた最適な画像データを送信でき、相手機の機能を検出するＧ３ファクシミリモードを省略した分、早く画像データを送信開始できるとともに通信費が安くなる。
【手続補正８】
【補正対象書類名】明細書
【補正対象項目名】０１３１
【補正方法】変更
【補正の内容】
【０１３１】
また、インターネットＦＡＸモードとＧ３ファクシミリモードを持つ画像通信装置、または、画像通信方法において、Ｇ３ファクシミリモードの通信中にインターネットＦＡＸ機能を持つことと、インターネットＦＡＸアドレスを相手機へ通知するので、相手機において自機がインターネットＦＡＸ機能を持つことと自機のインターネットアドレスがわからなくても、相手機との間でＧ３ファクシミリモードで通信すれば、自機がインターネットＦＡＸ機能を持つこと自機のインターネットアドレスを相手機に通知することができ、相手からインターネット経由で画像データを受信できる。
【発明の効果】
以上のように本発明によれば、インターネットＦＡＸの機能等のＦＡＸ機能をＧ３ファクシミリ通信手順により通知でき、更に、相手機の機能に合わせて最適な画像データを送信することができる。